(57)【特許請求の範囲】
【請求項１】
複数のＬＥＤ素子が実装された回路基板と、前記回路基板が収容される光透過性ハウジングとを有してなるＬＥＤ照明ユニットにおいて、
前記光透過性ハウジングの外表面を覆うように形成され、前記複数のＬＥＤ素子の各ＬＥＤ素子に対向する壁に形成されてなる光出射開口部を有してなる遮光カバーと、
前記光透過性ハウジングの内面に外周縁面が摺接されて内部に収容されるように形成された板状であり、かつ外周縁面から内部に向けて切り込まれ、切りこみ方向に直交する幅が前記回路基板の板厚にほぼ等しく形成された矩形状の切り欠きである遮光部材側切り欠き部を有してなる遮光部材とを有してなり、
前記回路基板は、
前記光透過性ハウジングへの挿入方向に直交する方向で向かい合う一対の端面のうち一方の端面から該回路基板の内部に向けて切り込まれ、切りこみ方向に直交する幅が前記遮光部材の板厚にほぼ等しく形成され、かつ前記複数のＬＥＤ素子の各ＬＥＤ素子の間に配置された矩形状の切り欠きである回路基板側切り欠き部を有してなり、
前記遮光部材側切り欠き部と回路基板側切り欠き部との切り込み方向に直交する各縁面を当接させて前記遮光部材が前記回路基板に取り付けられた場合、前記遮光部材側切り欠き部の切り込み方向で向かい合う前記遮光部材の両端面が前記回路基板側切り欠き部の切り込み方向で向かい合う前記回路基板の両端面より内側に配置されることを特徴とするＬＥＤ照明ユニット。
【請求項２】
前記光透過性ハウジングは、
前記回路基板の挿入方向に直交する方向で向かい合う前記回路基板の両端部の各端部を前記光透過性ハウジング内にガイド可能に形成された一対のガイド溝部と、該光透過性ハウジング内に挿入された前記遮光部材に当接される当接部とを有してなり、
前記回路基板の各端部が前記一対のガイド溝部の各ガイド溝部にガイドされながら前記回路基板が前記光透過性ハウジング内に挿入された場合、前記遮光部材が前記当接部に当接されることによって前記回路基板が前記光透過性ハウジング内の取り付け位置に配置されることを特徴とする請求項１に記載のＬＥＤ照明ユニット。
【請求項３】
前記遮光部材は、
前記遮光部材側切り欠き部の切り込み方向に直交する方向で対向する一対の縁面の少なくとも一方の縁面に設けられた遮光部材側係合部を有してなり、
前記回路基板は、
前記回路基板側切り欠き部の切りこみ方向の延長線上に配置され、前記遮光部材側係合部と係合される回路基板側係合部とを有してなることを特徴とする請求項１または２に記載のＬＥＤ照明ユニット。
【発明の詳細な説明】
【技術分野】
【０００１】
本発明は、複数のＬＥＤ素子が実装された回路基板と、回路基板が収容される光透過性ハウジングとを有してなるＬＥＤ照明ユニットに関する。
【背景技術】
【０００２】
従来、回路基板上に複数のＬＥＤ素子が設けられ、各ＬＥＤ素子から発せられる光を、照明光として、あるいはオレンジ等の有色の光を発するようにして機器の動作状態を示すようにするようにしたものがある。例えば、特許文献１には、複数のＬＥＤ素子から発せられる光によって、いわゆるインジケータとして機能するようにした車両用表示装置が提案されている。
【先行技術文献】
【特許文献】
【０００３】
【特許文献１】特開平１１−１０１６６４号公報
【発明の概要】
【発明が解決しようとする課題】
【０００４】
特許文献１に記載された車両用表示装置は、文字板に円状または円弧状に配置された目盛と、該目盛に付随する数字、文字または記号等の指標と、前記文字板の各前記目盛に個別に対応するように配置された一または複数の光源と、計測値を基準値とし、該基準値以下の所定の範囲の光源の点灯をさせることにより、計測量に応じた前記所定の範囲の目盛を光輝させることで、前記文字板に前記所定の範囲の表示をする表示制御手段とを備え、前記所定の範囲の表示と、前記文字板の目盛に付随する数字、文字または記号等の指標と協働して計測量を表示している。
【０００５】
しかしながら、特許文献１に記載された車両用表示装置は、回路基板、遮光板、文字板のそれぞれがケースに対して位置決めされて組み付けられなければならないため、組み付け作業が煩雑となってしまう問題があった。
【０００６】
本発明は、上記に鑑みてなされたものであって、組み付け作業を容易にすることができるＬＥＤ照明ユニットを提供することを目的とする。
【課題を解決するための手段】
【０００７】
上述した課題を解決し、目的を達成するために、本発明の請求項１にかかるＬＥＤ照明ユニットは、複数のＬＥＤ素子が実装された回路基板と、前記回路基板が収容される光透過性ハウジングとを有してなるＬＥＤ照明ユニットにおいて、前記光透過性ハウジングの外表面を覆うように形成され、前記複数のＬＥＤ素子の各ＬＥＤ素子に対向する壁に形成されてなる光出射開口部を有してなる遮光カバーと、前記光透過性ハウジングの内面に外周縁面が摺接されて内部に収容されるように形成された板状であり、かつ外周縁面から内部に向けて切り込まれ、切りこみ方向に直交する幅が前記回路基板の板厚にほぼ等しく形成された矩形状の切り欠きである遮光部材側切り欠き部を有してなる遮光部材とを有してなり、前記回路基板は、前記光透過性ハウジングへの挿入方向に直交する方向で向かい合う一対の端面のうち一方の端面から該回路基板の内部に向けて切り込まれ、切りこみ方向に直交する幅が前記遮光部材の板厚にほぼ等しく形成され、かつ前記複数のＬＥＤ素子の各ＬＥＤ素子の間に配置された矩形状の切り欠きである回路基板側切り欠き部を有してなり、前記遮光部材側切り欠き部と回路基板側切り欠き部との切り込み方向に直交する各縁面を当接させて前記遮光部材が前記回路基板に取り付けられた場合、前記遮光部材側切り欠き部の切り込み方向で向かい合う前記遮光部材の両端面が前記回路基板側切り欠き部の切り込み方向で向かい合う前記回路基板の両端面より内側に配置されることを特徴とする。
【０００８】
また、本発明の請求項２にかかるＬＥＤ照明ユニットは、上記の発明において、前記光透過性ハウジングは、前記回路基板の挿入方向に直交する方向で向かい合う前記回路基板の両端部の各端部を前記光透過性ハウジング内にガイド可能に形成された一対のガイド溝部と、該光透過性ハウジング内に挿入された前記遮光部材に当接される当接部とを有してなり、前記回路基板の各端部が前記一対のガイド溝部の各ガイド溝部にガイドされながら前記回路基板が前記光透過性ハウジング内に挿入された場合、前記遮光部材が前記当接部に当接されることによって前記回路基板が前記光透過性ハウジング内の取り付け位置に配置されることを特徴とする。
【０００９】
また、本発明の請求項３にかかるＬＥＤ照明ユニットは、上記の発明において、前記遮光部材は、前記遮光部材側切り欠き部の切り込み方向に直交する方向で対向する一対の縁面の少なくとも一方の縁面に設けられた遮光部材側係合部を有してなり、前記回路基板は、前記回路基板側切り欠き部の切りこみ方向の延長線上に配置され、前記遮光部材側係合部と係合される回路基板側係合部とを有してなることを特徴とする。
【発明の効果】
【００１０】
本発明の請求項１にかかるＬＥＤ照明ユニットは、前記遮光部材側切り欠き部と前記回路基板側切り欠き部との切り込み方向に直交する各縁面を当接させて前記遮光部材が前記回路基板に取り付けられた場合、前記遮光部材側切り欠き部の切り込み方向で向かい合う前記遮光部材の両端面が前記回路基板側切り欠き部の切り込み方向で向かい合う前記回路基板の両端面より内側に配置されるように取り付けられるので、前記回路基板が前記光透過性ハウジング内の取り付け位置に取り付けられると、前記遮光部材が前記光透過性ハウジング内での取り付け位置に配置されるようになっている。このため、組み付け作業を容易にすることができる。
【００１１】
本発明の請求項２にかかるＬＥＤ照明ユニットは、前記回路基板の各端部が前記一対のガイド溝部の各ガイド溝部にガイドされながら前記回路基板が前記光透過性ハウジング内に挿入された場合、前記遮光部材が前記当接部に当接されることによって前記回路基板が前記光透過性ハウジング内の取り付け位置に配置されるので、前記回路基板を前記光透過性ハウジング内の取り付け位置に容易に取り付けることができる。
【００１２】
本発明の請求項３にかかるＬＥＤ照明ユニットは、前記遮光部材側係合部と前記回路基板側係合部とが係合されることによって前記遮光部材が前記回路基板に係止されるようになっているので、前記遮光部材を前記回路基板に確実に固定させることができる。
【図面の簡単な説明】
【００１３】
【図１】図１は、本発明の実施の形態にかかるＬＥＤ照明ユニットを示した分解斜視図である。
【図２】図２は、図１に示したＬＥＤ照明ユニットを示した斜視図である。
【図３】図３は、図２に示したＬＥＤ照明ユニットのＡ−Ａ線断面図である。
【図４】図４は、図１に示した光透過性ハウジングの拡大斜視図である。
【図５】図５は、図４に示した光透過性ハウジングのＣ−Ｃ線断面図である。
【図６】図６は、図１に示した光透過性ハウジングを後方から視た斜視図である。
【図７】図７は、図１に示した遮光部材が取り付けられた回路基板を示した斜視図である。
【図８】図８は、図２に示したＬＥＤ照明ユニットのＢ−Ｂ線断面図である。
【図９】図９は、本発明の実施の形態のＬＥＤ照明ユニットを組み付け手順を示した図である。
【図１０】図１０は、本発明の実施の形態のＬＥＤ照明ユニットを組み付け手順を示した図である。
【図１１】図１１は、本発明の実施の形態の変形例１のＬＥＤ照明ユニットの要部断面図である。
【図１２】図１２は、本発明の実施の形態の変形例２のＬＥＤ照明ユニットのＬＥＤユニット部および遮光部材の斜視図である。
【図１３】図１３は、本発明の実施の形態の変形例３のＬＥＤ照明ユニットを示した斜視図である。
【発明を実施するための形態】
【００１４】
以下、図面を参照して、この発明にかかるＬＥＤ照明ユニットの好適な実施の形態を詳細に説明する。
【００１５】
（実施の形態）
図１は、本発明の実施の形態にかかるＬＥＤ照明ユニット１を示した分解斜視図である。図２は、図１に示したＬＥＤ照明ユニット１を示した斜視図である。図３は、図２に示したＬＥＤ照明ユニット１のＡ−Ａ線断面図である。図４は、図１に示した光透過性ハウジング２０の拡大斜視図である。図５は、図４に示した光透過性ハウジング２０のＣ−Ｃ線断面図である。図６は、図１に示した光透過性ハウジング２０を後方から視た斜視図である。図７は、図１に示した遮光部材４０が取り付けられた回路基板１１を示した斜視図である。図８は、図２に示したＬＥＤ照明ユニット１のＢ−Ｂ線断面図である。
なお、便宜上、図中の互いに直交する矢印方向を前後左右上下方向とする。
本発明の実施の形態にかかるＬＥＤ照明ユニット１は、ＬＥＤユニット部１０と、光透過性ハウジング２０と、遮光カバー３０と、遮光部材４０とを有してなる。
【００１６】
まず、ＬＥＤユニット部１０について説明する。
ＬＥＤユニット部１０は、回路基板１１と、二つのＬＥＤ素子１２と、電線Ｗとを有してなる。
回路基板１１は、いわゆるプリント配線板によって実現され、電源回路等の導体パターンが形成されている。この回路基板１１は、基板表面に複数のＬＥＤ素子１２が実装されている。また、この実施の形態では、回路基板１１が基板上に形成された端子１３を介して、信号線、あるいは給電線としての３本の電線Ｗに接続されている。各電線Ｗは、半田付け処理等を行うことによって端子１３に接続される。
【００１７】
二つのＬＥＤ素子１２の各ＬＥＤ素子１２は、箱状のパッケージの表面に発光部があり、図示しない電源入力端子が回路基板１１の図示しない電源回路に接続されている。図示しない電源回路は、回路基板１１上に設けられた端子１３を介して３本の電線Ｗに接続される。各ＬＥＤ素子１２は、電源回路を介して電源を供給されることによって点灯するようになっている。
二つのＬＥＤ素子１２のうち、回路基板１１の前側位置に配置されたＬＥＤ素子１２（以下、前側ＬＥＤ素子１２ａと称する。）は、例えば、オレンジ色の光を発し、色の種類によって機器の動作状態を示すための照明として機能するようになっている。すなわち、ＬＥＤ照明ユニット１を、いわゆるインジケータとして機能させるものである。
また、前側ＬＥＤ素子１２ａに比して回路基板１１上の後方位置に配置されたＬＥＤ素子１２（以下、後側ＬＥＤ素子１２ｂと称する。）は、白色光を発するものである。すなわち、ＬＥＤ照明ユニット１を照明装置として機能させるものである。
【００１８】
なお、回路基板１１は、回路基板側切り欠き部１４、回路基板側係合部１５を有してなる。
回路基板側切り欠き部１４は、光透過性ハウジング２０への挿入方向に直交する方向で向かい合う一対の端面１１ｂのうち、一方の端面１１ｂから回路基板１１の内部に向けて切り込まれ、切りこみ方向に直交する幅が遮光部材４０の板厚にほぼ等しく形成され、かつ二つのＬＥＤ素子１２の各ＬＥＤ素子１２の間に配置された矩形状の切り欠き部分である。
回路基板側係合部１５は、回路基板側切り欠き部１４の切りこみ方向の延長線上に配置され、後述する遮光部材側係合部４２と係合されるものである。より具体的には、回路基板側係合部１５は、回路基板側切り欠き部１４の切りこみ方向の延長線上に配置され、回路基板１１を貫通するように形成された貫通孔であり、この貫通孔に後述する遮光部材側係合部４２の突起部が係合することによって回路基板１１に遮光部材４０が係止されるようになっている。
【００１９】
次に、光透過性ハウジング２０について説明する。
光透過性ハウジング２０は、光透過性の合成樹脂材からなり、外形が４角形状の底壁２０ａと、底壁２０ａの縁に沿って立設する一対の側壁２０ｂと、上壁２０ｃと、下壁２０ｄとを有してなる有底角筒形状をなし、内部に回路基板１１が収容されるものである。この光透過性ハウジング２０は、開口側端部２０ｅの外周に沿って突出されたフランジ部２０ｆを有し、このフランジ部２０ｆを貫通するように形成されたボルト挿通孔２０ｇに不図示のボルトが挿通されて設置場所に固定されるようになっている。
また、光透過性ハウジング２０は、一対のガイド溝部２１および当接部２２を有してなる。
【００２０】
一対のガイド溝部２１の各ガイド溝部２１は、回路基板１１の挿入方向に直交する方向で向かい合う回路基板１１の両端部１１ａの各端部１１ａを光透過性ハウジング２０内にガイド可能に形成された溝部である。より具体的には、一対のガイド溝部２１の各ガイド溝部２１は、光透過性ハウジング２０の対向する一対の側壁２０ｂの内側に、光透過性ハウジング２０の開口側端２０ｈから光透過性ハウジング２０内に向けて直線状に形成される溝部である。この一対のガイド溝部２１の各ガイド溝部２１は、溝幅が回路基板１１の板厚とほぼ等しく形成されている。
【００２１】
当接部２２は、光透過性ハウジング２０内に挿入された遮光部材４０に当接される部分である。この当接部２２は、上壁２０ｃの内面および下壁２０ｄの内面から半球状に突起された突起部分であり、回路基板１１の挿入方向に直交する方向に沿って上壁２０ｃに２箇所、下壁２０ｄに２箇所設けられてなる。
回路基板１１の各端部１１ａが各ガイド溝部２１にガイドされながら回路基板１１が光透過性ハウジング２０内に挿入された場合、当接部２２が遮光部材４０に当接されることによって回路基板１１が光透過性ハウジング２０内の取り付け位置に位置決めされるようになっている。
【００２２】
次に、遮光カバー３０について説明する。
遮光カバー３０は、遮光性を有する合成樹脂からなり、外形が４角形状の底壁３０ａと、底壁３０ａの縁に沿って立設する一対の側壁３０ｂと、上壁３０ｃと、下壁３０ｄとを有してなる有底角筒形状をなし、光透過性ハウジング２０の外表面を覆うように形成されてなる。
この遮光カバー３０は、二つのＬＥＤ素子１２から発せられた光が遮光カバー３０外に出射されるように形成された開口である二つの光出射開口部３１を有してなる。
この二つの光出射開口部３１の各光出射開口部３１は、回路基板１１上に設けられた各ＬＥＤ素子１２の配置に対応して配置されている。より具体的には、二つの光出射開口部３１のうち、前側ＬＥＤ素子１２ａの配置に対応して配置された光出射開口部３１（以下、前側光出射開口部３１ａと称する。）は、遮光カバー３０の底壁３０ａの前側ＬＥＤ素子１２ａと向かい合う位置に配置される。
また、後側ＬＥＤ素子１２ｂの配置に対応して配置された光出射開口部３１（以下、後側光出射開口部３１ｂと称する。）は、遮光カバー３０の上壁３０ｃの後側ＬＥＤ素子１２ｂと向かい合う位置に配置される。
このような遮光カバー３０によって、光透過性ハウジング２０の外表面が覆われることによって、各ＬＥＤ素子１２から発せられた光が光透過性ハウジング２０を透過した後、各ＬＥＤ素子１２に応じて配置された各光出射開口部３１を介して遮光カバー３０の外に出射されるようになっている。
【００２３】
次に、遮光部材４０について説明する。
遮光部材４０は、遮光性を有し、光透過性ハウジング２０の内面２０ｉに外周縁面４０ｂが摺接されて内部に収容されるように形成された板状である。
この遮光部材４０は、遮光部材側切り欠き部４１および遮光部材側係合部４２を有してなる。
【００２４】
遮光部材側切り欠き部４１は、外周縁面４０ｂから内部に向けて切り込まれ、切りこみ方向に直交する幅が回路基板１１の板厚にほぼ等しく形成された矩形状の切り欠きである。
遮光部材側係合部４２は、遮光部材側切り欠き部４１の切り込み方向に直交する方向で対向する一対の縁面４１ａの下側の縁面４１ａから突起された突起部である。
遮光部材側切り欠き部４１と回路基板側切り欠き部１４との切り込み方向に直交する各縁面１４ａ、４１ｂを当接させて遮光部材４０が回路基板１１に取り付けられた場合、遮光部材側係合部４２と回路基板側係合部１５とが係合されることによって回路基板１１に遮光部材４０が係止されるようになっている。
【００２５】
また、回路基板側切り欠き部１４が前側ＬＥＤ素子１２ａとの後側ＬＥＤ素子１２ｂとの間に配置されているので、遮光部材４０は、前側ＬＥＤ素子１２ａとの後側ＬＥＤ素子１２ｂとの間に配置されるようになっている。これにより遮光部材４０が光透過性ハウジング２０内の収容空間を前側ＬＥＤ素子側１２ａと後側ＬＥＤ素子側１２ｂとで２分する仕切り板として機能している。このため、各ＬＥＤ素子１２から発せされる光が干渉することを防ぐようになっている。
【００２６】
また、遮光部材側切り欠き部４１と回路基板側切り欠き部１４との切り込み方向に直交する各縁面１４ａ、４１ｂを当接させて遮光部材４０が回路基板１１に取り付けられた場合、遮光部材側切り欠き部４１の切り込み方向で向かい合う遮光部材４０の両端面４０ａが回路基板側切り欠き部１４の切り込み方向で向かい合う回路基板１１の両端面１１ｂより内側に配置されるようになっている。すなわち、図７に示すように、挿入方向に直交する方向の回路基板１１の幅が、回路基板１１に取り付けされた遮光部材４０の同方向の幅よりも大きく設定され、かつ遮光部材側切り欠き部４１の切り込み方向で向かい合う遮光部材４０の両端面４０ａが回路基板側切り欠き部１４の切り込み方向で向かい合う回路基板１１の両端面１１ｂより内側に配置されるように、遮光部材側切り欠き部４１および回路基板側切り欠き部１４の切り込み量が設定されている。
【００２７】
このようにして遮光部材４０が回路基板１１に取り付けられることによって、回路基板１１が光透過性ハウジング２０内に取り付けられる際、回路基板１１の各端部１１ａが各ガイド溝部２１にガイドされながら回路基板１１が光透過性ハウジング２０内に挿入され、遮光部材４０が当接部２２に当接されることによって回路基板１１が光透過性ハウジング２０内の取り付け位置に位置決めされて配置されるようになっている。
【００２８】
次に、ＬＥＤ照明ユニット１の組み付け手順について図９−図１０を用いて説明する。図９−図１０は、本発明の実施の形態のＬＥＤ照明ユニット１を組み付け手順を示した図である。
まず、作業者は、遮光部材側切り欠き部４１と回路基板側切り欠き部１４との切り込み方向に直交する各縁面１４ａ、４１ｂが当接されるように遮光部材４０を回路基板１１に取り付ける（図９（ａ）参照）。この際、遮光部材側切り欠き部４１の切り込み方向で向かい合う遮光部材４０の両端面４０ａが回路基板側切り欠き部１４の切り込み方向で向かい合う回路基板１１の両端面１１ｂより内側に配置され、遮光部材側係合部４２と回路基板側係合部１５とが係合されることによって遮光部材４０が回路基板１１に係止される。
その後、作業者は、回路基板１１を光透過性ハウジング２０内に挿入する（図９（ｂ）参照）。この光透過性ハウジング２０内への回路基板１１の挿入の際、回路基板１１の両端部１１ａが光透過性ハウジング２０の一対のガイド溝部２１によってガイドされながら回路基板１１が光透過性ハウジング２０内に挿入される。
その後、作業者は、回路基板１１を光透過性ハウジング２０内の取り付け位置に配置させる（図１０（ｃ）参照）。この際、遮光部材４０が当接部２２に当接されることによって回路基板１１が透過性ハウジング２０内の取り付け位置に位置決めされる。
その後、作業者は、光透過性ハウジング２０に遮光カバー４０を取り付ける（図１０（ｄ）参照）。これによって、ＬＥＤ照明ユニット１が完成される。
【００２９】
本発明の実施の形態にかかるＬＥＤ照明ユニット１は、遮光部材側切り欠き部４１と回路基板側切り欠き部１４との切り込み方向に直交する各縁面１４ａ、４１ｂを当接させて遮光部材４０が回路基板１１に取り付けられた場合、遮光部材側切り欠き部４１の切り込み方向で向かい合う遮光部材４０の両端面４０ａが回路基板側切り欠き部１４の切り込み方向で向かい合う回路基板１１の両端面１１ｂより内側に配置されるように取り付けられるので、回路基板１１が光透過性ハウジング２０内の取り付け位置に取り付けられると、遮光部材４０が光透過性ハウジング２０内での取り付け位置に配置されるようになっている。このため、組み付け作業を容易にすることができる。
【００３０】
また、本発明の実施の形態にかかるＬＥＤ照明ユニット１は、回路基板１１の各端部１１ａが一対のガイド溝部２１の各ガイド溝部２１にガイドされながら回路基板１１が光透過性ハウジング２０内に挿入された場合、遮光部材４０が当接部２２に当接されることによって回路基板１１が光透過性ハウジング２０内の取り付け位置に配置されるので、回路基板１１を光透過性ハウジング２０内の取り付け位置に容易に取り付けることができる。
【００３１】
また、本発明の実施の形態にかかるＬＥＤ照明ユニット１は、遮光部材側係合部４２と回路基板側係合部１５とが係合されることによって遮光部材４０が回路基板１１に係止されるようになっているので、遮光部材４０を回路基板１１に確実に固定させることができる。
【００３２】
（変形例１）
次に、図１１を用いて本発明の実施の形態のＬＥＤ照明ユニット１の変形例１について説明する。図１１は、本発明の実施の形態の変形例１のＬＥＤ照明ユニット２の要部断面図である。
この変形例１のＬＥＤ照明ユニット２は、光透過性ハウジング５０が、当接部２２に代わって、当接部５１を有してなる点で実施の形態のＬＥＤ照明ユニット１と異なる。
なお、その他の構成は実施の形態と同様であり、実施の形態と同一構成部分には同一符号を付している。
【００３３】
当接部５１は、透過性ハウジング５０の壁の肉厚が厚く変化することによって形成された段差部であり、回路基板１１の挿入方向に直交する面が遮光部材４０に当接されるようになっている。
この変形例１のＬＥＤ照明ユニット２は、遮光部材４０が当接部５１に当接されることによって回路基板１１が光透過性ハウジング５０内の取り付け位置に位置決めされて配置されるようになっているので、実施の形態のＬＥＤ照明ユニット１と同様に組み付け作業を容易にすることができる。
【００３４】
（変形例２）
次に、図１２を用いて本発明の実施の形態のＬＥＤ照明ユニット１の変形例２について説明する。図１２は、本発明の実施の形態の変形例２のＬＥＤ照明ユニット３のＬＥＤユニット部６０および遮光部材６３の斜視図である。
なお、図１２では、ＬＥＤユニット部６０および遮光部材６３以外の構成は実施の形態のＬＥＤ照明ユニット１と同様であるため図示を省略している。
この変形例２のＬＥＤ照明ユニット３は、ＬＥＤユニット部６０の回路基板６１が、回路基板側係合部１５に代わって回路基板側係合部６２を有してなり、遮光部材６３が、遮光部材側係合部４２に代わって遮光部材側係合部６４を有してなる点で実施の形態のＬＥＤ照明ユニット１と異なる。
なお、その他の構成は実施の形態と同様であり、実施の形態と同一構成部分には同一符号を付している。
【００３５】
回路基板側係合部６２は、回路基板側切り欠き部１４の切りこみ方向の延長線上に配置され、回路基板６１の上面から突起した突起である。
遮光部材側係合部６４は、遮光部材側切り欠き部４１の切り込み方向に直交する方向で対向する一対の縁面４１ａの上側の縁面４１ａに形成された凹部である。
このような、回路基板側係合部６２と遮光部材側係合部６４とが係合することによって回路基板６１に遮光部材６３が係止されるようになっている。
この変形例２のＬＥＤ照明ユニット３は、回路基板側係合部６２と遮光部材側係合部６４とが係合することによって回路基板６１に遮光部材６３が係止されるようになっているので実施の形態のＬＥＤ照明ユニット１と同様に遮光部材６３を回路基板６１に確実に固定させることができる。
【００３６】
（変形例３）
次に、図１３を用いて本発明の実施の形態のＬＥＤ照明ユニット１の変形例３について説明する。図１３は、本発明の実施の形態の変形例３のＬＥＤ照明ユニット４を示した斜視図である。
この変形例３のＬＥＤ照明ユニット４は、光透過性ハウジング２０に代わって光透過性ハウジング７０を有してなり、遮光カバー３０に代わって遮光カバー８０を有し、遮光部材４０に代わって遮光部材９０を有してなる点で実施の形態のＬＥＤ照明ユニット１と異なる。
なお、その他の構成は実施の形態と同様であり、実施の形態と同一構成部分には同一符号を付している。
【００３７】
光透過性ハウジング７０は、光透過性の合成樹脂材からなり、有底円筒形状をなしている。
遮光カバー８０は、遮光性を有する合成樹脂からなり、有底円筒形状をなし、光透過性ハウジング７０の外表面を覆うように形成されてなる。
遮光部材９０は、光透過性ハウジング７０の内面に外周縁面９０ｂが摺接されて内部に収容されるように形成された板状である。
この変形例３のＬＥＤ照明ユニット４は、遮光部材側切り欠き部４１と回路基板側切り欠き部１４との切り込み方向に直交する各縁面１４ａ、４１ｂを当接させて遮光部材４０が回路基板１１に取り付けられた場合、遮光部材側切り欠き部４１の切り込み方向で向かい合う遮光部材４０の両端面４０ａが回路基板側切り欠き部１４の切り込み方向で向かい合う回路基板１１の両端面１１ｂより内側に配置されるように取り付けられることによって、回路基板１１が光透過性ハウジング７０内に取り付けられる際、回路基板１１の各端部１１ａが各ガイド溝部２１にガイドされながら回路基板１１が光透過性ハウジング７０内に挿入され、遮光部材４０が当接部２２に当接されることによって回路基板１１が光透過性ハウジング２０内の取り付け位置に位置決めされて配置されるようになっているので、実施の形態のＬＥＤ照明ユニット１と同様に組み付け作業を容易にすることができる。
【００３８】
なお、本発明の実施の形態のＬＥＤ照明ユニット１，２，３は、遮光部材側係合部４２と回路基板側係合部１５とが係合されることによって遮光部材４０が回路基板１１に係止されるものを例示したが、これに限らない。すなわち、遮光部材側切り欠き部４１と回路基板側切り欠き部１４との切り込み方向に直交する各縁面１４ａ、４１ｂを当接させて遮光部材４０が回路基板１１に取り付けられることで遮光部材４０が回路基板１１に保持固定されるようになっていれば、遮光部材側係合部４２および回路基板側係合部１５を設けなくてもよい。
【００３９】
また、本発明の実施の形態にかかるＬＥＤ照明ユニット１，２，３は、前方側ＬＥＤ素子１２ａおよび後方側ＬＥＤ素子１２ｂを有し、前方側ＬＥＤ素子１２ａがオレンジ色の光を発し、後方側ＬＥＤ素子１２ｂが白色光を発するものを例示したが、これに限らない。すなわち、複数のＬＥＤ素子を有してなり、それぞれのＬＥＤ素子が、白色光、あるいは有色の光を発するものであれば、その他の色の光を発するものを用いてもよい。
【００４０】
また、本発明の実施の形態にかかるＬＥＤ照明ユニット１，２，３は、前方側ＬＥＤ素子１２ａおよび後方側ＬＥＤ素子１２ｂの二つのＬＥＤ素子１２を有してなるものを例示したが、これに限らない。すなわち、複数のＬＥＤ素子を有していればよい。
【００４１】
また、本発明の実施の形態にかかるＬＥＤ照明ユニット１，２，３は、光透過性ハウジング２０，５０，７０が一対のガイド溝部２１を有してなるものを例示したが、これに限らない。すなわち、回路基板１１，６１の各縁１１ａがガイドされて回路基板１１，６１が光透過性ハウジング２０，５０，７０内の取り付け位置に配置されればその他の構成であってもよい。例えば、光透過性ハウジング２０，５０，７０の内壁に回路基板１１，６１の挿入方向にそって直線状に突起させた直線状突起部をガイド部として機能させるようにしてもよい。
【００４２】
以上、本発明者によってなされた発明を、上述した発明の実施の形態に基づき具体的に説明したが、本発明は、上述した発明の実施の形態に限定されるものではなく、その要旨を逸脱しない範囲において種々変更可能である。
【符号の説明】
【００４３】
１、２、３、４  ＬＥＤ照明ユニット
１０、６０  ＬＥＤユニット部
１１、６１  回路基板
１１ａ      端部
１１ｂ      端面
１２        ＬＥＤ素子
１２ａ      前側ＬＥＤ素子
１２ｂ      後側ＬＥＤ素子
１３        端子
１４        回路基板側切り欠き部
１４ａ      縁面
１５、６２  回路基板側係合部
２０、５０、７０  光透過性ハウジング
２０ａ      底壁
２０ｂ      側壁
２０ｃ      上壁
２０ｄ      下壁
２０ｅ      開口側端部
２０ｆ      フランジ部
２０ｇ      ボルト挿通孔
２０ｈ      開口側端
２０ｉ      内面
２１        ガイド溝部
２２、５１  当接部
３０、８０  遮光カバー
３０ａ、８０ａ  底壁
３０ｂ、８０ｂ  側壁
３０ｃ      上壁
３０ｄ      下壁
３１        光出射開口部
３１ａ      前側光出射開口部
３１ｂ      後側光出射開口部
４０、６３、９０  遮光部材
４０ａ      端面
４０ｂ、９０ｂ  外周縁面
４１        遮光部材側切り欠き部
４１ａ、４１ｂ  縁面
４２、６４  遮光部材側係合部
Ｗ          電線
【図１】
0005687131.tif 000002
【図２】
0005687131.tif 000003
【図３】
0005687131.tif 000004
【図４】
0005687131.tif 000005
【図５】
0005687131.tif 000006
【図６】
0005687131.tif 000007
【図７】
0005687131.tif 000008
【図８】
0005687131.tif 000009
【図９】
0005687131.tif 000010
【図１０】
0005687131.tif 000011
【図１１】
0005687131.tif 000012
【図１２】
0005687131.tif 000013
【図１３】
0005687131.tif 000014